【手続補正書】
【提出日】平成20年5月9日(2008.5.9)
【手続補正１】
【補正対象書類名】明細書
【補正対象項目名】発明の名称
【補正方法】変更
【補正の内容】
【発明の名称】電力生成制御システム、および燃料電池システム
【手続補正２】
【補正対象書類名】明細書
【補正対象項目名】特許請求の範囲
【補正方法】変更
【補正の内容】
【特許請求の範囲】
【請求項１】  負荷から要求される電力の検知を行う電力検知手段と、
電力の生成が所定の電力生成手段において行われていないときに、前記検知された負荷から要求される電力が所定の値以上となっている時間を積算する、または電力の生成が所定の電力生成手段において行われているときに、前記検知された負荷から要求される電力が所定の値以下となっている時間を積算する時間積算手段と、
前記積算の結果、（１）連続的に前記積算された時間、または（２）所定の期間において不連続的に前記積算された時間の総和が、所定の閾値以上となった場合に、電力の生成を前記電力生成手段に開始させるよう制御する、または電力の生成を前記電力生成手段に終了させるよう制御する電力生成制御手段と、を備えた、電力生成制御システム。
【請求項２】前記電力生成制御手段は、前記所定の期間において不連続的に前記積算された時間の総和の前記所定の期間に対する比率が所定の閾値以上となった場合に、電力の生成を前記電力生成手段に開始させるよう制御する、または電力の生成を前記電力生成手段に終了させるよう制御する、請求項１に記載の、電力生成制御システム。
【請求項３】  負荷から要求される電力の検知を行う電力検知手段と、
電力の生成が所定の電力生成手段において行われていないときに、所定の期間における前記負荷から要求される電力を積算する、または電力の生成が所定の電力生成手段において行われているときに、所定の期間における前記負荷から要求される電力を積算する電力積算手段と、
前記積算の結果、前記積算された電力が所定の閾値以上となった場合に、電力の生成を前記電力生成手段に開始させるよう制御する、または前記積算された電力が所定の閾値以下となった場合に、電力の生成を前記電力生成手段に終了させるよう制御する電力生成制御手段と、を備えた、電力生成制御システム。
【請求項４】前記電力生成制御手段は、前記積算された電力の前記所定の期間における平均電力が所定の閾値以上となった場合に、電力の生成を前記電力生成手段に開始させるよう制御する、または前記積算された電力の前記所定の期間における平均電力が所定の閾値以下となった場合に、電力の生成を前記電力生成手段に終了させるよう制御する、請求項３に記載の、電力生成制御システム。
【請求項５】  前記電力生成制御手段の前記制御により前記電力生成手段が起動した時刻を記憶する、または前記電力生成制御手段の前記制御により前記電力生成手段が停止した時刻を記憶する履歴蓄積手段と、
前記電力生成制御手段は、前記記憶される前記電力生成手段が起動した時刻に基づき算出された時刻に、前記電力生成手段に電力の生成を開始させるよう制御する、または前記記憶される前記電力生成手段が停止した時刻に基づき算出された時刻に、前記電力生成手段に電力の生成を終了させるよう制御する、請求項１から４の何れかに記載の、電力生成制御システム。
【請求項６】  前記電力生成手段としての燃料電池本体と、請求項１から５の何れかに記載の電力生成制御システムと、を備えた、燃料電池システム。
【手続補正３】
【補正対象書類名】明細書
【補正対象項目名】００１９
【補正方法】変更
【補正の内容】
【００１９】
【課題を解決するための手段】
第一の本発明（請求項１に対応）は、負荷から要求される電力の検知を行う電力検知手段と、
電力の生成が所定の電力生成手段において行われていないときに、前記検知された負荷から要求される電力が所定の値以上となっている時間を積算する、または電力の生成が所定の電力生成手段において行われているときに、前記検知された負荷から要求される電力が所定の値以下となっている時間を積算する時間積算手段と、
前記積算の結果、（１）連続的に前記積算された時間、または（２）所定の期間において不連続的に前記積算された時間の総和が、所定の閾値以上となった場合に、電力の生成を前記電力生成手段に開始させるよう制御する、または電力の生成を前記電力生成手段に終了させるよう制御する電力生成制御手段と、を備えた、電力生成制御システムである。
第二の本発明（請求項２に対応）は、前記電力生成制御手段は、前記所定の期間において不連続的に前記積算された時間の総和の前記所定の期間に対する比率が所定の閾値以上となった場合に、電力の生成を前記電力生成手段に開始させるよう制御する、または電力の生成を前記電力生成手段に終了させるよう制御する、第一の本発明の、電力生成制御システムである。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】変更
【補正の内容】
【００２４】
第三の本発明（請求項３に対応）は、負荷から要求される電力の検知を行う電力検知手段と、
電力の生成が所定の電力生成手段において行われていないときに、所定の期間における前記負荷から要求される電力を積算する、または電力の生成が所定の電力生成手段において行われているときに、所定の期間における前記負荷から要求される電力を積算する電力積算手段と、
前記積算の結果、前記積算された電力が所定の閾値以上となった場合に、電力の生成を前記電力生成手段に開始させるよう制御する、または前記積算された電力が所定の閾値以下となった場合に、電力の生成を前記電力生成手段に終了させるよう制御する電力生成制御手段と、を備えた、電力生成制御システムである。
第四の本発明（請求項４に対応）は、前記電力生成制御手段は、前記積算された電力の前記所定の期間における平均電力が所定の閾値以上となった場合に、電力の生成を前記電力生成手段に開始させるよう制御する、または前記積算された電力の前記所定の期間における平均電力が所定の閾値以下となった場合に、電力の生成を前記電力生成手段に終了させるよう制御する、第三の本発明の、電力生成制御システムである。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
第五の本発明（請求項５に対応）は、前記電力生成制御手段の前記制御により前記電力生成手段が起動した時刻を記憶する、または前記電力生成制御手段の前記制御により前記電力生成手段が停止した時刻を記憶する履歴蓄積手段と、
前記電力生成制御手段は、前記記憶される前記電力生成手段が起動した時刻に基づき算出された時刻に、前記電力生成手段に電力の生成を開始させるよう制御する、または前記記憶される前記電力生成手段が停止した時刻に基づき算出された時刻に、前記電力生成手段に電力の生成を終了させるよう制御する、第一から第四の何れかの本発明の、電力生成制御システムである。
第六の本発明（請求項６に対応）は、前記電力生成手段としての燃料電池本体と、第一から第五の何れかの本発明の電力生成制御システムと、を備えた、燃料電池システムである。
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３９
【補正方法】変更
【補正の内容】
【００３９】
つぎに、本実施の形態の燃料電池発電システムの運転パターン例を説明するためのグラフ図である図１を参照しながら、本実施の形態の燃料電池発電システムの動作について説明する。なお、本実施の形態の燃料電池発電システムの動作について説明しながら、本発明に関連する発明の電力生成制御方法の一実施例についても説明する（以下同様である）。
【手続補正１９】
【補正対象書類名】明細書
【補正対象項目名】００６９
【補正方法】変更
【補正の内容】
【００６９】
なお、本発明に関連する発明は、上述した本発明の電力生成制御システムの全部または一部の手段（または、装置、素子、回路、部など）の機能をコンピュータにより実行させるためのプログラムであって、コンピュータと協働して動作するプログラムである。もちろん、上述のコンピュータは、ＣＰＵなどの純然たるハードウェアに限らず、ファームウェアやＯＳ、さらに周辺機器を含むものであっても良い。
【手続補正２０】
【補正対象書類名】明細書
【補正対象項目名】００７０
【補正方法】変更
【補正の内容】
【００７０】
また、本発明に関連する発明は、上述した本発明に関連する発明の電力生成制御方法の全部または一部のステップ（または、工程、動作、作用など）の動作をコンピュータにより実行させるためのプログラムであって、コンピュータと協働して動作するプログラムである。
【手続補正２１】
【補正対象書類名】明細書
【補正対象項目名】００７１
【補正方法】変更
【補正の内容】
【００７１】
なお、上述の一部の手段（または、装置、素子、回路、部など）、上述の一部のステップ（または、工程、動作、作用など）は、それらの複数の手段またはステップの内の幾つかの手段またはステップを意味する、あるいは一つの手段またはステップの内の一部の機能または一部の動作を意味するものである。
【手続補正２２】
【補正対象書類名】明細書
【補正対象項目名】００７２
【補正方法】変更
【補正の内容】
【００７２】
また、上述の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【手続補正２３】
【補正対象書類名】明細書
【補正対象項目名】００７３
【補正方法】変更
【補正の内容】
【００７３】
また、本発明に関連する発明のプログラムを記録した、コンピュータに読みとり可能な記録媒体も本発明に関連する発明である。また、本発明に関連する発明のプログラムの一利用形態は、コンピュータにより読み取り可能な記録媒体に記録され、コンピュータと協働して動作する態様であっても良い。また、本発明に関連する発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【手続補正２４】
【補正対象書類名】明細書
【補正対象項目名】００７４
【補正方法】変更
【補正の内容】
【００７４】
なお、本発明または本発明に関連する発明の構成は、ソフトウェア的に実現しても良いし、ハードウェア的に実現しても良い。